(57)【要約】【課題】建物内部から気体を排除する際には、その換気口を開口した状態とし、通常状態においては、その換気口を閉じた状態とする換気口の外部カバーを提供する。【解決手段】換気口１０を通して、建物内部の気体を換気扇２０により建物外部に強制排除する際には、その蓋枠体内側の気体通路１０２に鎧戸状に横に並べて配置された複数枚のシャッタ板１０８のそれぞれを、その換気口１０を通して建物外部に強制排除される気体の風圧を利用して、自己の自重に抗して、上方に回動、上昇させる。逆に、換気口１０からの建物内部の気体の強制排除が停止された状態においては、その複数枚のシャッタ板１０８のそれぞれを、自己の自重により、下方に回動、復帰させる。【選択図】図１
2006275299.tif 000002
【特許請求の範囲】
【請求項１】
建物外壁に開口された換気口に装着して、その換気口周囲を、その内側に換気用の気体通路を残して覆う蓋枠体と、その蓋枠体内側の気体通路に所定のピッチをあけて鎧戸状に横に並べて配置された、気体通路を覆う複数枚のシャッタ板とからなり、
その複数枚のシャッタ板のそれぞれの上端が、前記蓋枠体にほぼ水平方向に回動自在に支持されて、その複数枚のシャッタ板のそれぞれが下方に回動した際に、その複数枚のシャッタ板のそれぞれの下端が、その直下のシャッタ板の上端と互いに重なり合った状態となって、その複数枚のシャッタ板により、前記蓋枠体内側の気体通路が連続して閉じられるように構成され、
前記換気口を通して、建物内部の気体が換気扇により建物外部に強制排除される際には、その気体の風圧を受けて、前記複数枚のシャッタ板のそれぞれが、自己の自重に抗して、上方に回動、上昇して、前記蓋枠体内側の気体通路が開き、
前記換気口からの建物内部の気体の強制排除が停止された状態においては、前記複数枚のシャッタ板のそれぞれが、自己の自重により、下方に回動、復帰して、前記蓋枠体内側の気体通路が複数枚の前記シャッタ板により閉じられるように構成され、
さらに、前記蓋枠体最下端のシャッタ板が、自己の自重により、下方に回動、復帰した際には、その最下端のシャッタ板の下端が前記蓋枠体下端をのり越えて、その蓋枠体下方に突出するように構成されたことを特徴とする換気口の外部カバー。
【請求項２】
前記蓋枠体の背部に、建物外壁に開口された換気口の開口部内側に圧入する円筒体が延設されて、その円筒体の内側空間が前記蓋枠体内側の気体通路に連通していることを特徴とする請求項１記載の換気口の外部カバー。
【請求項３】
前記蓋枠体がほぼ方形枠体状に構成されて、その蓋枠体が換気口に装着された際に、その蓋枠体のほぼ垂直方向を向く左右の側枠に、前記複数枚のシャッタ板のそれぞれの上端両側が着脱自在にかつほぼ水平方向に回動自在に支持されたことを特徴とする請求項１記載の換気口の外部カバー。
【発明の詳細な説明】
【技術分野】
【０００１】
本発明は、建物の外壁に開口された換気口に装着されて使用される、換気口の外部カバーに関する。
【背景技術】
【０００２】
台所、便所、風呂場等の建物の外壁には、図５に示したような、換気口１０が設けられている。換気口１０には、電動式の換気扇２０が内蔵されていて、その換気扇２０を回転させることにより、建物内部の煙や臭気、湿気等を含む汚れた気体を、その換気口１０を通して、建物外部に強制的に排除している。
この建物外壁に開口する換気口１０は、一般に、図５に示したように、その換気口１０を通してねずみ等の小動物が建物内部に侵入するのを防ぐための、粗い目の格子１２で覆われている。また、その換気口１０を通して雨水等が建物内部に侵入しないように、その換気口１０周囲が、雨よけフード１４等により覆われている。
【０００３】
しかしながら、上記のように、その建物外壁の換気口１０を粗い目の格子１２で単に覆ったり、その換気口１０周囲を雨よけフード１４で覆ったりしたのみでは、その換気口１０に内蔵された換気扇２０の回転を停止させた状態において、その換気口１０を通して、外部の冷気が建物内部に容易かつ大量に侵入してしまった。
そのために、冬季等においては、暖房器具を用いてせっかく暖められた建物内部の暖気が、その換気口１０を通して建物外部から侵入し続ける冷気で急激に冷やされてしまった。そして、建物内部の暖房効率が大幅に低下してしまった。このことは、特に、便所、風呂場等において、顕著であって、その為に、健康に悪い影響を与えた。
【０００４】
このような課題を解消するための手段としては、実開昭５９−１７５９３１号公報記載の換気扇用シャッター、特開平９−６８３３４号公報記載の風圧開閉式シャッターなどを建物外部の換気口に取り付けて、それらのシャッターにより、建物外部の冷気が、建物内部に侵入するのを防ぐ方法が考えられる。
【特許文献１】実開昭５９−１７５９３１号公報
【特許文献２】特開平９−６８３３４号公報
【発明の開示】
【発明が解決しようとする課題】
【０００５】
しかしながら、これらのシャッターは、いずれも複雑大掛かりな動力機構やリンク機構等を用いていて、上記のような、換気扇２０が内蔵された単純な構造の換気口１０に手軽に装着して使用可能な、一般に広く利用可能な、汎用性のあるものとは、到底いえない。
【０００６】
本発明は、このような課題を解消するためになされたもので、その目的は、建物内部から煙や臭気、湿気等を含む汚れた気体を排除する際には、その換気口を広く開口した状態とし、建物内部の気体を建物外部に排除しない通常状態においては、その換気口を冷気が侵入しないように閉じた状態とする、複雑大掛かりな動力機構やリンク機構を一切必要としない、単純な構造をした、誰でもが換気扇が内蔵された換気口に手軽に装着して一般に広く利用可能な、汎用性のある換気口の外部カバーを提供しようとするものである。
【課題を解決するための手段】
【０００７】
このような目的を達成するために、本発明の換気口の外部カバーは、建物外壁に開口された換気口に装着して、その換気口周囲を、その内側に換気用の気体通路を残して覆う蓋枠体と、その蓋枠体内側の気体通路に所定のピッチをあけて鎧戸状に横に並べて支持された、気体通路を覆う複数枚のシャッタ板とからなり、
その複数枚のシャッタ板のそれぞれの上端が、前記蓋枠体にほぼ水平方向に回動自在に支持されて、その複数枚のシャッタ板のそれぞれが下方に回動した際に、その複数枚のシャッタ板のそれぞれの下端が、その直下のシャッタ板の上端と互いに重なり合った状態となって、その複数枚のシャッタ板により、前記蓋枠体内側の気体通路が連続して閉じられるように構成され、
前記換気口を通して、建物内部の気体が換気扇により建物外部に強制排除される際には、その気体の風圧を受けて、前記複数枚のシャッタ板のそれぞれが、自己の自重に抗して、上方に回動、上昇して、前記蓋枠体内側の気体通路が開き、
前記換気口からの建物内部の気体の強制排除が停止された状態においては、前記複数枚のシャッタ板のそれぞれが、自己の自重により、下方に回動、復帰して、前記蓋枠体内側の気体通路が複数枚の前記シャッタ板により閉じられるように構成され、
さらに、前記蓋枠体最下端のシャッタ板が、自己の自重により、下方に回動、復帰した際には、その最下端のシャッタ板の下端が前記蓋枠体下端をのり越えて、その蓋枠体下方に突出するように構成されたことを特徴としている。
【０００８】
このような構成の換気口の外部カバーにおいては、その蓋枠体を、建物外壁に開口された換気口に装着して、その換気口周囲を、その内側に、換気口を通して建物内部の気体を建物外部に排除するための換気用の気体通路を残して、蓋枠体により覆うことができる。そして、その換気口を通して、建物内部の気体を換気扇により建物外部に強制排除する際には、その蓋枠体内側の気体通路に鎧戸状に横に並べて配置された複数枚のシャッタ板であって、その上端が蓋枠体にほぼ水平方向に回動自在に支持されたシャッタ板のそれぞれを、その換気口を通して建物外部に強制排除される気体の風圧を利用して、自己の自重に抗して、上方に回動、上昇させることができる。そして、その蓋枠体内側の気体通路を開くことができる。そして、その気体通路を通して、建物外壁に開口する換気口から建物内部の汚れた空気を、建物外部に支障なく排除できる。
また逆に、換気扇の回転が停止されて、換気口からの建物内部の気体の強制排除が停止された状態においては、その複数枚のシャッタ板のそれぞれを、自己の自重により、下方に回動、復帰させることができる。そして、その蓋枠体内側の気体通路を、元通りに複数枚のシャッタ板により閉じた状態とすることができる。そして、その換気口から建物外部の冷気が建物内部に侵入するのを、防ぐことができる。
また、その複数枚のシャッタ板のそれぞれを下方に回動、復帰させて、その複数枚のシャッタ板により、蓋枠体内側の気体通路を閉じた際には、その複数枚のシャッタ板のそれぞれの下端を、その直下のシャッタ板の上端と互いに重なり合わせた状態とすることができる。そして、その複数枚のシャッタ板により、その蓋枠体内側の気体通路を、冷気が侵入しないように隙間なく連続して閉じた状態とすることができる。
さらに、上記のようにして、換気口からの建物内部の気体の強制排除が停止されて、蓋枠体最下端のシャッタ板が、自己の自重により、下方に回動、復帰した際には、その最下端のシャッタ板の下端が蓋枠体下端をのり越えて、その蓋枠体下方に突出した状態となる。そのために、雨が降った日などに、その蓋枠体内側の気体通路を覆う複数枚のシャッタ板に雨水等が降りかかっても、その複数枚のシャッタ板表面を伝って落ちる雨水等を、その最下端のシャッタ板表面から蓋枠体下端を円滑かつ確実にのり越えさせて、その蓋枠体下方に落下させることができる。そして、その雨水等が蓋枠体内側の気体通路から換気口に侵入するのを、防ぐことができる。
【０００９】
本発明の換気口の外部カバーにおいては、前記蓋枠体の背部に、建物外壁に開口された換気口の開口部内側に圧入する円筒体が延設されて、その円筒体の内側空間が前記蓋枠体内側の気体通路に連通している構造とすると良い。
そうした場合には、その蓋枠体の背部に延設された円筒体を、建物外壁に開口された換気口の開口部内側に圧入して、その換気口に容易に抜け出ぬように装着できる。そして、その円筒体を介して、蓋枠体を建物外壁に覗く換気口に装着できる。それと共に、その換気口周囲を、その内側に、気体通路、該通路に連通する円筒体の内側空間を通して、建物内部の気体を換気口から建物外部に排除するための換気用通路を残して、蓋枠体により覆った状態とすることができる。
【００１０】
本発明の換気口の外部カバーにおいては、前記蓋枠体がほぼ方形枠体状に構成されて、その蓋枠体が換気口に装着された際に、その蓋枠体のほぼ垂直方向を向く左右の側枠に、前記複数枚のシャッタ板のそれぞれの上端両側が着脱自在にかつほぼ水平方向に回動自在に支持された構造とすると良い。
そうした場合には、そのほぼ方形枠体状に単純に構成された蓋枠体を、プラスチック製として、そのプラスチック製の蓋枠体を、プラスチック成形技術を用いて、容易に一体形成できる。
また、そのほぼ方形枠体状に構成された蓋枠体の形状に合わせて、その蓋枠体内側に配置される複数枚のシャッタ板も、平板状等の単純な形状をしたプラスチック製として、そのプラスチック製のシャッタ板を、プラスチック成形技術を用いて、容易に成形できる。
また、その帯板状をした複数枚のシャッタ板のそれぞれを、方形枠体状に構成された蓋枠体の左右の側枠に容易かつ迅速に取り付けたり、その左右の側枠から容易かつ迅速に取り外したりできる。そして、その一部のシャッタ板が破損した際などに、その破損したシャッタ板の交換を容易かつ迅速に行える。
そして、製造容易で安価な、組み立て容易な、汎用性のあるプラスチック製などの換気口の外部カバーを提供可能となる。
【発明の効果】
【００１１】
以上説明したように、本発明の換気口の外部カバーによれば、建物内部から煙や臭気、湿気等を含む汚れた気体を排除する際には、その換気口を広く開口した状態とし、建物内部の気体を建物外部に排除しない通常状態においては、その換気口を建物外部の冷気が侵入しないように閉じた状態とする、換気口から強制排除される気体の風圧と重力とを駆動源とする、複雑大掛かりな動力機構やリンク機構を一切必要としない、汎用性のある換気口の外部カバーを提供可能となる。
【発明を実施するための最良の形態】
【００１２】
図１ないし図４は本発明の換気口の外部カバーの好適な実施の形態を示し、図１はその斜視図、図２と図３はその動作を示す側面断面図、図４はその使用例を示す説明図である。以下に、この換気口の外部カバーを説明する。
【００１３】
この換気口の外部カバー１００は、図４に示されたように、電動式の換気扇２０が内蔵された建物外壁の換気口１０を、建物外側から覆うものであって、その建物外壁に覗く換気口の開口部１０ａに装着されて使用される。
この換気口の外部カバー１００は、図１ないし図３に示されたように、換気口１０周囲を、その内側に気体通路１０２を残して覆う蓋枠体１０４を有している。蓋枠体１０４の背部には、建物外壁に開口された換気口の開口部１０ａ内側に圧入して、その換気口１０に容易に抜け出ぬように装着可能とする円筒体１０６が、蓋枠体１０４の軸心方向に一連に延設されている。円筒体の内側空間１０９は、蓋枠体１０４内側の気体通路１０２に連通している。そして、その円筒体の内側空間１０９と蓋枠体１０４内側の気体通路１０２とに亙って、気体通路１０２、該通路に連通する円筒体の内側空間１０９を通して、建物内部の気体を換気口１０から建物外部に排除するための換気用通路が形成された構造をしている。
蓋枠体１０４内側の気体通路１０２には、該通路を覆う複数枚（図は５枚）のシャッタ板１０８が、所定のピッチをあけて鎧戸状に横に並べて配置されている。
複数枚のシャッタ板１０８のそれぞれの上端は、シャッタ板１０８から一体に延設されたアーム１０７を介して、蓋枠体１０４にほぼ水平方向に回動自在に支持されている。そして、図３に示されたように、その複数枚のシャッタ板１０８のそれぞれが下方に回動した際に、その複数枚のシャッタ板１０８のそれぞれの下端が、その直下のシャッタ板１０８の上端と互いに重なり合った状態となって、その複数枚のシャッタ板１０８により、蓋枠体１０４内側の気体通路１０２が、冷気が侵入しないように連続して閉じられるように構成されている。
そして、換気口１０を通して、建物内部の気体が換気扇２０により建物外部に強制排除される際には、図２に示されたように、その換気扇２０から発生する気体の風圧を受けて、複数枚のシャッタ板１０８のそれぞれが、自己の自重に抗して、上方に回動、上昇して、蓋枠体内側の気体通路１０２が広く開くように構成されている。
それに対して、換気扇２０の回転が停止されて、換気口１０からの建物内部の気体の強制排除が停止された状態においては、図３に示されたように、その複数枚のシャッタ板１０８のそれぞれが、自己の自重により、下方に回動、復帰して、蓋枠体１０４内側の気体通路１０２が複数枚のシャッタ板１０８により連続して隙間なく閉じられるように構成されている。
さらに、図３に示されたように、蓋枠体１０４最下端のシャッタ板１０８が、自己の自重により、下方に回動、復帰した際には、その最下端のシャッタ板の下端１０８ａが蓋枠体下端１０４ａをのり越えて、その蓋枠体１０４下方に突出するように構成されている。
【００１４】
図１ないし図４に示された換気口の外部カバーは、以上のように構成されている。
次に、この換気口の外部カバーの使用例とその作用を説明する。
この換気口の外部カバー１００の使用に際しては、図４に示されたように、その蓋枠体１０４の背部に一連に延設された円筒体１０６を、建物外壁に覗く換気口の円筒状をした開口部１０ａ内側に圧入して、その蓋枠体１０４に延設された円筒体１０６を、建物外壁の換気口１０に容易に抜け出ぬように装着する。そして、その円筒体１０６を介して、蓋枠体１０４を建物外壁に覗く換気口１０に装着する。それと共に、その換気口１０周囲を、その内側に、蓋枠体１０４内側の気体通路１０２及び該通路に連通する 円筒体内側空間１０９を通して、建物内部の気体を換気口１０から建物外部に排除するための換気用通路を残して、蓋枠体１０４により覆った状態とする。
すると、その換気口１０を通して、建物内部の気体を換気扇２０により建物外部に強制排除する際には、図２に示されたように、その蓋枠体１０４内側の気体通路１０２に鎧戸状に横に並べて配置された複数枚のシャッタ板１０８であって、その上端が蓋枠体１０４にほぼ水平方向に回動自在に支持されたシャッタ板１０８のそれぞれを、その換気口１０を通して換気扇２０により建物外部に強制排除される気体の風圧を利用して、自己の自重に抗して、上方に回動、上昇させることができる。そして、その蓋枠体１０４内側の気体通路１０２を広く開くことができる。そして、その広く開いた蓋枠体１０４内側の気体通路１０２と、それに連なる円筒体の内側空間１０９及び換気口１０を通して、建物内部の汚れた空気等の気体を、建物外部に支障なく円滑に強制排除できる。
また、換気扇２０の回転が停止されて、換気口１０からの建物内部の気体の強制排除が停止された状態においては、図３に示されたように、その複数枚のシャッタ板１０８のそれぞれを、自己の自重により、下方に回動、復帰させることができる。そして、その蓋枠体１０４内側の気体通路１０２を、元通りに複数枚のシャッタ板１０８により閉じた状態とすることができる。そして、その換気口１０から建物外部の冷気が建物内部に侵入するのを、防ぐことができる。
また、その複数枚のシャッタ板１０８のそれぞれを下方に回動、復帰させて、その複数枚のシャッタ板１０８により、蓋枠体内側の気体通路を閉じた際には、同じ図３に示されたように、その複数枚のシャッタ板１０８のそれぞれの下端を、その直下のシャッタ板１０８の上端と互いに重ね合わせた状態とすることができる。そして、その複数枚のシャッタ板１０８により、その蓋枠体１０４内側の気体通路１０２を、冷気が侵入しないように隙間なく連続して閉じた状態とすることができる。
さらに、換気口１０からの建物内部の気体の強制排除が停止されて、複数枚のシャッタ板１０８のそれぞれが、自己の自重により、下方に回動、復帰した際には、同じ図３に示されたように、その最下端のシャッタ板の下端１０８ａが蓋枠体下端１０４ａをのり越えて、その蓋枠体１０４下方に突出した状態となる。そのために、雨が降った日などに、蓋枠体１０４内側の気体通路１０２を覆う複数枚のシャッタ板１０８に降りかかっても、その複数枚のシャッタ板１０８表面を伝って落ちる雨水等を、その最下端のシャッタ板１０８表面から蓋枠体下端１０４ａを円滑かつ確実にのり越えさせて、その蓋枠体１０４下方に落下させることができる。そして、その雨水等が蓋枠体１０４内側の気体通路１０２から換気口１０に侵入するのを、確実に防ぐことができる。
【００１５】
この換気口の外部カバー１００においては、図１ないし図３に示されたように、その蓋枠体１０４を、ほぼ方形枠体状に形成すると良い。そして、図４に示されたように、その蓋枠体１０４を換気口１０に装着した際に、その蓋枠体１０４のほぼ垂直方向を向く左右の側枠１０４ｂ、１０４ｃに、複数枚のシャッタ板１０８のそれぞれの上端両側を、着脱自在にかつほぼ水平方向に回動自在に支持すると良い。具体的には、例えば図２や図３に示されたように、シャッタ板１０８の上端両側に一体に延設されたアーム１０７のそれぞれを、それに対応する蓋枠体１０４の左右の側枠１０４ｂ、１０４ｃに所定のピッチで上下方向に並べて刻設された斜め下方を向く帯状溝１０５内のそれぞれに挿通して、その帯状溝１０５内底部にそれぞれ支持すると良い。
そして、そのほぼ方形枠体状に形成する蓋枠体１０４及びその蓋枠体１０４背部に一連に延設する円筒体１０６を、共にプラスチック製として、そのプラスチック製の蓋枠体１０４及び円筒体１０６を、プラスチック成形技術を用いて、手数を掛けずに容易に一体形成できるようにすると良い。
また、そのほぼ方形枠体状に形成する蓋枠体１０４の形状に合わせて、その蓋枠体１０４内側に配置する帯板状をした複数枚のシャッタ板１０８も、プラスチック製として、その複数枚のシャッタ板１０８を、プラスチック成形技術を用いて、手数を掛けずに容易に成形できるようにすると良い。
また、その複数枚のシャッタ板１０８を、その一部のシャッタ板１０８が破損した際などに、蓋枠体の左右の側枠１０４ｂ、１０４ｃから容易かつ迅速に取り外して、新しいシャッタ板１０８を、その左右の側枠１０４ｂ、１０４ｃに容易かつ迅速に取り付け直しできるようにすると良い。そして、その破損等したシャッタ板１０８の交換を容易かつ迅速に行えるようにすると良い。
【産業上の利用可能性】
【００１６】
本発明の換気口の外部カバーは、換気扇が内蔵された建物外壁の換気口に手軽に装着して、その換気口を、建物内部から煙や臭気、湿気等を含む汚れた気体を排除する際には、その換気口を広く開口させた状態とし、建物内部の気体を建物外部に排除しない通常状態においては、その換気口を建物外部の冷気が侵入しないように閉じた状態とするための簡便な装置として、一般に広く利用可能である。
【図面の簡単な説明】
【００１７】
【図１】本発明の換気口の外部カバーの斜視図である。
【図２】本発明の換気口の外部カバーの動作を示す側面断面図である。
【図３】本発明の換気口の外部カバーの動作を示す側面断面図である。
【図４】本発明の換気口の外部カバーの使用状態説明図である。
【図５】建物外壁の換気口の概略構成図である。
【符号の説明】
【００１８】
１０  換気口
２０  換気扇
１００  換気口の外部カバー
１０２  蓋枠体内側の気体通路
１０４  蓋枠体
１０５  帯状溝
１０６  円筒体
１０７  アーム
１０８  シャッタ板
【図１】
2006275299.tif 000003
【図２】
2006275299.tif 000004
【図３】
2006275299.tif 000005
【図４】
2006275299.tif 000006
【図５】
2006275299.tif 000007